(57)【特許請求の範囲】
【請求項１】
椀状の本体部と、
前記本体部の内側で前記本体部に一体的に設けられ、一端部が前記本体部の前側に位置し、他端部が前記本体部の頂上部側に位置して前記本体部の前側から頂上部側へ上昇するように延びている第１の梁と、
前記本体部の内側で前記本体部に一体的に設けられ、一端部が前記本体部の頂上部側に位置し、他端部が前記本体部の後側に位置して前記本体部の頂上部側から後側へ下降するように延びている第２の梁とを有し、
前記第１の梁は２本設けられており、この２本の第１の梁のうちの一方の梁は、前記本体部の左側に設けられて第１の左側梁を構成しており、前記２本の第１の梁のうちの他方の梁は、前記第１の左側梁から離れて前記本体部の右側に設けられて第１の右側梁を構成しており、
前記第２の梁は２本設けられており、この２本の第２の梁のうちの一方の梁は、前記第１の各梁から離れて前記本体部の左側に設けられて第２の左側梁を構成しており、前記２本の第２の梁のうちの他方の梁は、前記第１の各梁と前記第２の左側梁とから離れて前記本体部の右側に設けられて第２の右側梁を構成しており、
側面視したときに、前記第１の各梁と前記第２の各梁とが「ハ」字状、「ヘ」字状または「Ｘ」字状になっており、
着用者が被ったときに、前記各梁のそれぞれが前記着用者の頭部の異なる部位に異なる方向から当接して前記着用者の頭部で支持されるように構成されている、
ことを特徴とするインナーキャップ。
【請求項２】
請求項１に記載のインナーキャップにおいて、
前記第１の各梁は、前記本体部の左右方向で、前記本体部の中央側に設けられており、
前記第２の各梁は、前記本体部の左右方向で、前記第１の各梁の外側に設けられている、
ことを特徴とするインナーキャップ。
【請求項３】
請求項２に記載のインナーキャップにおいて、
平面視したときに、前記本体部の中心を通り、前記本体部の左右方向に対して直交する方向に展開している平面に対して前記各梁が前記平面側に凸な円弧状に湾曲している、
ことを特徴とするインナーキャップ。
【請求項４】
請求項１から請求項３のいずれか１項に記載のインナーキャップにおいて、
帽体の内側に取り付けるための取付部が設けられている、
ことを特徴とするインナーキャップ。
【請求項５】
請求項１から請求項４のいずれか１項に記載のインナーキャップと、
前記インナーキャップの本体部の左右に設けた第１の被取付部に取り付けられ、着用者の後頭部への締め付け具合を調整するサイズ調整バンド機構とを有する、
ことを特徴とするインナーキャップ組立体。
【請求項６】
請求項１から請求項５のいずれか１項に記載のインナーキャップと、
前記インナーキャップの本体部の左右に設けた第２の被取付部に取り付けられた顎紐調整機構とを有する、
ことを特徴とするインナーキャップ組立体。
【発明の詳細な説明】
【技術分野】
【０００１】
この発明は、インナーキャップおよびインナーキャップ組立体に係り、たとえば、クリーンルーム用のフードや布帽子（キャップ）などの帽体に内装されて着用者の頭部を保護するものに関する。
【背景技術】
【０００２】
従来、フード部と、このフード部の内部に装着されるプロテクト部（インナーキャップ）とを備えた防塵フードが知られている（たとえば、特許文献１参照）。
【０００３】
従来の防塵フードのプロテクト部は、半球状に形成されている保護部材（本体部）に複数のスリットを形成し、このスリットが形成されている部位に、複数の梁を設けている。
【０００４】
各スリットや各梁は、プロテクト部の前後方向に所定の間隔をあけて、プロテクト部の左右方向に延びて設けられている（特許文献１の図１、図４等参照）。
【０００５】
なお、従来の技術に関連する特許文献として、さらに特許文献２、特許文献３を掲げることができる。
【先行技術文献】
【特許文献】
【０００６】
【特許文献１】特開２００６−１４４１８９号公報
【特許文献２】特開２００５−５４２９８号公報
【特許文献３】登録実用新案第３１５４４７９号公報
【発明の概要】
【発明が解決しようとする課題】
【０００７】
ところで、上記従来の防塵フードは、プロテクト部の各梁が水平方向に延びているので、防塵フードを着用者が被った場合、安定性が悪いという問題がある。
【０００８】
すなわち、上記従来の防塵フードを着用者が被ると、各梁の中央部およびこの近傍の部位が、着用者の頭頂部およびこの頭頂部の近傍で着用者の頭部に当接するので、たとえば、防塵フード（プロテクト部）が、着用者の頭頂部およびこの頭頂部の近傍でのみ支えられていることになり、荷重が着用者の頭頂部に集中して着用者に違和感を与えるとともに、プロテクト部が斜めに傾き、ふらついて安定性に欠ける。
【０００９】
この発明は、上記問題点に鑑みてなされたものであり、着用者が被ったときに安定性のよいインナーキャップおよびインナーキャップ組立体を提供することを目的とする。
【課題を解決するための手段】
【００１０】
請求項１に記載の発明は、椀状の本体部と、前記本体部の内側で前記本体部に一体的に設けられ、一端部が前記本体部の前側に位置し、他端部が前記本体部の頂上部側に位置して前記本体部の前側から頂上部側へ上昇するように延びている第１の梁と、前記本体部の内側で前記本体部に一体的に設けられ、一端部が前記本体部の頂上部側に位置し、他端部が前記本体部の後側に位置して前記本体部の頂上部側から後側へ下降するように延びている第２の梁とを有し、前記第１の梁は２本設けられており、この２本の第１の梁のうちの一方の梁は、前記本体部の左側に設けられて第１の左側梁を構成しており、前記２本の第１の梁のうちの他方の梁は、前記第１の左側梁から離れて前記本体部の右側に設けられて第１の右側梁を構成しており、前記第２の梁は２本設けられており、この２本の第２の梁のうちの一方の梁は、前記第１の各梁から離れて前記本体部の左側に設けられて第２の左側梁を構成しており、前記２本の第２の梁のうちの他方の梁は、前記第１の各梁と前記第２の左側梁とから離れて前記本体部の右側に設けられて第２の右側梁を構成しており、側面視したときに、前記第１の各梁と前記第２の各梁とが「ハ」字状、「ヘ」字状または「Ｘ」字状になっており、着用者が被ったときに、前記各梁のそれぞれが前記着用者の頭部の異なる部位に異なる方向から当接して前記着用者の頭部で支持されるように構成されているインナーキャップである。
【００１３】
請求項２に記載の発明は、請求項１に記載のインナーキャップにおいて、前記第１の各梁は、前記本体部の左右方向で、前記本体部の中央側に設けられており、前記第２の各梁は、前記本体部の左右方向で、前記第１の各梁の外側に設けられている。
【００１４】
請求項３に記載の発明は、請求項２に記載のインナーキャップにおいて、平面視したときに、前記本体部の中心を通り、前記本体部の左右方向に対して直交する方向に展開している平面に対して前記各梁が前記平面側に凸な円弧状に湾曲している。
【００１５】
請求項４に記載の発明は、請求項１から請求項３のいずれか１項に記載のインナーキャップにおいて、帽体の内側に取り付けるための取付部が設けられている。
【００１６】
請求項５に記載の発明は、請求項１から請求項４のいずれか１項に記載のインナーキャップと、前記インナーキャップの本体部の左右に設けた第１の被取付部に取り付けられ、着用者の後頭部への締め付け具合を調整するサイズ調整バンド機構とを有するインナーキャップ組立体である。
【００１７】
請求項６に記載の発明は、請求項１から請求項５のいずれか１項に記載のインナーキャップと、前記インナーキャップの本体部の左右に設けた第２の被取付部に取り付けられた顎紐調整機構とを有するインナーキャップ組立体である。
【発明の効果】
【００１８】
この発明によれば、着用者が被ったときに安定性のよいインナーキャップおよびインナーキャップ組立体を提供することができるという効果を奏する。
【図面の簡単な説明】
【００１９】
【図１】この発明の一実施形態に係るインナーキャップの構成を示す斜視図である。
【図２】インナーキャップの平面図であって、図１におけるＩＩ矢視図である。
【図３】インナーキャップの正面図であって、図２におけるＩＩＩ矢視図である。
【図４】インナーキャップの背面図であって、図２におけるＩＶ矢視図である。
【図５】インナーキャップの側面図であって、図２におけるＶ矢視図である。
【図６】インナーキャップの底面図であって、図５におけるＶＩ矢視図である。
【図７】図２のＶＩＩ−ＶＩＩ線による断面図である。
【図８】図２のＶＩＩＩ−ＶＩＩＩ線による断面図である。
【図９】防塵フードを示す斜視図である。
【図１０】防塵フードのフード部とインナーキャップとの係合状態を示す図である。
【図１１】キャップ型の帽子を示す斜視図である。
【図１２】この発明の他の実施形態に係るインナーキャップ組立体の構成を示す右側面図である。
【図１３】インナーキャップ組立体の平面図であって、図１２におけるＸＩＩＩ矢視図である。
【図１４】インナーキャップ組立体の正面図であって、図１２におけるＸＩＶ矢視図である。
【図１５】サイズ調整バンド機構を構成する係止部材を示す図で、（ａ）は係止部材の正面図、（ｂ）は係止部材の底面図、（ｃ）は係止部材の左側面図、（ｄ）は係止部材の右側面図、（ｅ）は係止部材の背面図である。
【図１６】サイズ調整バンド機構を構成する係合部材を示す図で、（ａ）は係合部材の正面図、（ｂ）は係合部材の底面図、（ｃ）は係合部材の左側面図、（ｄ）は係合部材の右側面図、（ｅ）は係合部材の背面図である。
【図１７】この発明のさらに他の実施形態に係るインナーキャップ組立体の構成を示す右側面図である。
【発明を実施するための形態】
【００２０】
防塵フード１は、図９に示すように、着用者Ｐの頭部（首や肩を含んでいてもよい）を包むフード部３と、フード部３の内部でフード部３の上部に装着されるインナーキャップ（内装体；頭部保護体；プロテクト部）５とを備えて構成されている。フード部３の前側には、着用者Ｐの顔面（少なくとも目とこの周辺）を露出させるための開口部４が形成されている。
【００２１】
フード部３は、発塵がほとんどない布等の素材で構成されており、インナーキャップ５は、図２等に示すように、本体部（シェル）７と、梁（着装体部；たとえば、弾性を備えた弾性梁）９，１１とを備え、たとえば、ポリエチレン等の硬質の合成樹脂で構成されており、金型を用いた射出成型等で一体成型されている。また、インナーキャップ５は、中心面（本体部７の中心を通り、本体部７の左右方向に対して直交する方向に展開している平面）に対して対称に形成されている。
【００２２】
本体部７は、椀状（半球状；半球殻状）に形成されている。前側梁（第１の梁）９は、図７等に示すように、本体部７の内側（凹側）で本体部７に一体的に設けられている。
【００２３】
前側梁９の他端部（後端部）は、本体部７の頂上部１３側に位置している（たとえば、頂上部１３の近傍で頂上部１３よりもやや後方に位置している）。前側梁９の一端部（前端部）は、本体部７の前側に位置している（たとえば、本体部７の頂上部１３と、本体部７の開口部１５の周辺に存在する縁１７の前側の部位との中間の部位に位置している）。そして、前側梁９は、本体部７の概ね前後方向に延びている。
【００２４】
さらに説明すると、前側梁９は、細長い薄板状に形成されており、長手方向の一端部（前端部）が本体部７に接続されており、長手方向の他端部（後端部）も本体部７に接続されており、本体部７と一体になっている。また、インナーキャップ５（防塵フード１）を着用者Ｐが被ったとき、前側梁９の厚さ方向の一方の面（下面）が、斜めになって下方を向いており、前側梁９の厚さ方向の一方の面の一部（梁９の長手方向における中間部）１９が、着用者Ｐの頭部の前側部位に当接するようになっている。
【００２５】
前側梁９の厚さ方向の一方の面は、この幅方向が本体部７の左右方向とほぼ一致するようにして展開している。また、前側梁９の厚さ方向の一方の面は、この長手方向が、本体部７の中間部位と本体部７の頂上部１３の近傍とを互いに結ぶ方向になるようにして、水平方向に対して斜めに傾斜して展開している。なお、本体部７の中間部位は、前述したように、本体部７の頂上部１３と本体部７の縁１７の前側の部位との中間に位置する部位である。前側梁９の厚さ方向の他方の面（上面）は、厚さ方向の一方の面（下面）とほぼ平行になって展開しており、斜めになって上方を向いている。
【００２６】
後側梁（第２の梁）１１も、本体部７の内側（凹側）で、前側梁９から離れて本体部７に一体的に設けられている。
【００２７】
後側梁１１の一端部（前端部）は、本体部７の頂上部１３側に位置している（たとえば、頂上部１３の近傍で頂上部１３よりもやや前方に位置している）。後側梁１１の他端部（後端部）は、本体部７の後側に位置している（たとえば、本体部７の頂上部１３と、本体部７の開口部１５の周辺に存在している縁１７の後側の部位との中間の部位に位置している）。そして、後側梁１１も、本体部７の概ね前後方向に延びている。
【００２８】
さらに説明すると、後側梁１１は、前側梁９と同様に、細長い薄板状に形成されており、長手方向の一端部（前端部）が本体部７に接続されており、長手方向の他端部（後端部）も本体部７に接続されており、本体部７と一体になっている。また、インナーキャップ５（防塵フード１）を着用者Ｐが被ったとき、後側梁１１の厚さ方向の一方の面（下面）が、斜めになって下方を向いており、後側梁１１の厚さ方向の一方の面の一部（梁１１の長手方向における中間部）２１が、着用者Ｐの頭部の後側部位に当接するようになっている。
【００２９】
後側梁１１の厚さ方向の一方の面は、この幅方向が本体部７の左右方向とほぼ一致するようにして展開している。また、後側梁１１の厚さ方向の一方の面は、この長手方向が、本体部７の中間部位と本体部７の頂上部１３の近傍とを互いに結ぶ方向になるようにして、水平方向に対して斜めに傾斜して展開している。なお、本体部７の中間部位は、前述したように、本体部７の頂上部１３と本体部７の縁１７の後側の部位との中間に位置する部位である。後側梁１１の厚さ方向の他方の面（上面）は、厚さ方向の一方の面（下面）とほぼ平行になって展開しており、斜めになって上方を向いている。
【００３０】
このように各梁９，１１が設けられていることにより、インナーキャップ５を側面視すると（たとえば、右から左に向かって見ると）、図７に示すように、各梁９，１１の、下側の２つの線分が長い「Ｘ」字状になっている。
【００３１】
前側梁９は、図２等に示すように、たとえば、２本設けられている。２本の前側梁９のうちの一方の梁は、本体部７の左側に設けられ、１本の前左側梁（第１の左側梁）９Ａを構成している。２本の前側梁９のうちの他方の梁は、前左側梁９Ａから離れて本体部７の右側に設けられ、１本の前右側梁（第１の右側梁）９Ｂを構成している。
【００３２】
後側梁１１も、たとえば、２本設けられている。２本の後側梁１１のうちの一方の梁は、本体部７の左側に設けられ、１本の後左側梁（第２の左側梁）１１Ａを構成している。２本の後側梁１１のうちの他方の梁は、後左側梁１１Ａから離れて本体部７の右側に設けられ、１本の後右側梁（第２の右側梁）１１Ｂを構成している。
【００３３】
一対の前側梁９（９Ａ，９Ｂ）は、本体部７の左右方向で、本体部７の中央側に設けられている。一対の後側梁１１（１１Ａ，１１Ｂ）は、本体部７の左右方向で、一対の前側梁９（９Ａ，９Ｂ）の外側（本体部７の左右方向の各端部側）に設けられている。
【００３４】
また、すでに理解されるように、前右側梁９Ｂは、中心面（本体部７の中心を通り、本体部７の左右方向に対して直交する方向に展開している平面）に対して、前左側梁９Ａと対称に設けられており、後右側梁１１Ｂも、中心面に対して、後左側梁１１Ａと対称に設けられている。
【００３５】
これにより、着用者Ｐがインナーキャップ５を被ったとき、前後方向では、前側梁９（９Ａ，９Ｂ）の長手方向の中間部１９が着用者Ｐの前頭部に当接し、後側梁１１（１１Ａ，１１Ｂ）の長手方向の中間部２１が着用者Ｐの後頭部に当接し、インナーキャップ５の各梁９，１１が、着用者Ｐの頭部を前後方向から押圧している。着用者Ｐがインナーキャップ５を被ったとき、左右方向では、前左側梁９Ａの中間部１９と後左側梁１１Ａの中間部２１とが、着用者Ｐの頭部の左側部位に当接し、前右側梁９Ｂの中間部１９と後右側梁１１Ｂの中間部２１とが、着用者Ｐの頭部の右側部位に当接し、インナーキャップ９の各梁９Ａ，９Ｂ，１１Ａ，１１Ｂが、着用者Ｐの頭部を左右方向から押圧している。
【００３６】
また、インナーキャップ５を平面視すると、図２等に示すように、各梁９，１１が円弧状に湾曲している。たとえば、前左側梁９Ａは、本体部７の中央側（右側）に凸な円弧状に湾曲しており、前右側梁９Ｂは、本体部７の中央側（左側）に凸な円弧状に湾曲しており、後左側梁１１Ａは、本体部７の中央側（右側）に凸な円弧状に湾曲しており、後右側梁１１Ｂは、本体部７の中央側（左側）に凸な円弧状に湾曲している。
【００３７】
また、インナーキャップ５の左右方向における前左側梁９Ａと前右側梁９Ｂとの間隔は、図２等に示すように、本体部７の前側で広く、本体部７の後側に向かうにしたがって狭くなっている。さらに詳しく説明すると、インナーキャップ５の左右方向における前左側梁９Ａと前右側梁９Ｂとの間隔は、本体部７の頂上部１３のところで最も小さくなっており、本体部７の頂上部１３よりも後側では僅かではあるが、次第に大きくなっている。
【００３８】
インナーキャップ５の左右方向における後左側梁１１Ａと後右側梁１１Ｂとの間隔は、本体部７の後側で広く、本体部７の前側に向かうにしたがって狭くなっている。さらに詳しく説明すると、インナーキャップ５の左右方向における後左側梁１１Ａと後右側梁１１Ｂとの間隔は、本体部７の頂上部１３のところで最も小さくなっており、本体部７の頂上部１３よりも前側では僅かではあるが、次第に大きくなっている。
【００３９】
さらに、インナーキャップ５を平面視すると（上から下に向かって見ると）、図２に示すように、各梁９，１１が設けられている部位（本体部７の部位）には、インナーキャップ５を成型するときのアンダーカット部をなくすため、各梁９，１１とほぼ同形状の貫通孔（各梁９，１１よりも僅かに大きい貫通孔）２３が設けられている。平面視において各梁９，１１は各貫通孔２３の内側に位置している。
【００４０】
また、インナーキャップ５の本体部７には、図１や図２等に示すように、切り欠き２５，２７，２９，３１が設けられている。切り欠き２５，２７，２９，３１は、本体部７の縁１７から、本体部７の頂上部１３に向かって延びている。
【００４１】
切り欠き２５は、左右対称で一対が設けられている。左側の切り欠き２５Ａは、本体部７の縁１７の一部（斜め左前の部位）から、本体部７の頂上部１３に向かって設けられている。切り欠き２５Ａの先端部（頂上部１３にもっとも近い部位）は、本体部７の頂上部１３と縁１７との中間部に位置している。切り欠き２５Ｂは、中心面（本体部７の中心を通り、本体部７の左右方向に対して直交する方向に展開している平面）に対して切り欠き２５Ａと対称に設けられている。
【００４２】
また、切り欠き２７，２９も、左右対称で一対が設けられている。左側の切り欠き２７Ａは、本体部７の縁１７の一部（前後方向の中央部または左端よりも僅かに後方の部位）から、本体部７の頂上部１３に向かって設けられている。切り欠き２７Ａの先端部（頂上部１３にもっとも近い部位）も、本体部７の頂上部１３と縁１７との中間部に位置している。切り欠き２７Ｂは、中心面（本体部７の中心を通り、本体部７の左右方向に対して直交する方向に展開している平面）に対して切り欠き２７Ａと対称に設けられている。
【００４３】
左側の切り欠き２９Ａは、本体部７の縁１７の一部（斜め左後の部位）から、本体部７の頂上部１３に向かって設けられている。切り欠き２９Ａの先端部（頂上部１３にもっとも近い部位）も、本体部７の頂上部１３との中間部に位置している。しかしながら、切り欠き２９Ａの長さ（インナーキャップ５の縁１７と頂上部１３とを互いに結ぶ方向の寸法）は、後左側梁１１Ａとの干渉を避けるため、切り欠き２５Ａ，２７Ａよりも短くなっている。また、切り欠き２９Ｂは、中心面（本体部７の中心を通り、本体部７の左右方向に対して直交する方向に展開している平面）に対して切り欠き２９Ａと対称に設けられている。
【００４４】
切り欠き３１は、本体部７の縁１７の一部（後方中央の部位）から、本体部７の頂上部１３に向かって設けられている。切り欠き３１の先端部（頂上部１３にもっとも近い部位）も、本体部７の頂上部１３との中間部に位置している。しかしながら、切り欠き３１の長さは、切り欠き２９Ａ，２９Ｂと同様に、切り欠き２５Ａ，２５Ｂ，２７Ａ，２７Ｂよりも短くなっている。
【００４５】
このように各切り欠き２５，２７，２９，３１が設けられていることにより、インナーキャップ５の径寸法（縁１７の径寸法）を変化させることができ、インナーキャップ５を着用者Ｐの頭部のサイズに合わせることができる。たとえば、インナーキャップ５の径寸法が、着用者Ｐの頭部の径寸法よりもやや小さくなっているものとする。この小さいインナーキャップ５を着用者Ｐが被ると、各切り欠き２５，２７，２９，３１の幅（インナーキャップ５の縁１７の周方向の寸法）が大きくなるように、本体部７の一部が弾性変形してインナーキャップ５の径寸法が大きくなり、着用者Ｐがインナーキャップ５を違和感なく被ることができる。
【００４６】
ここで、インナーキャップ５とフード部３との係合の態様について説明する。
【００４７】
図１や図１０等に示すように、一対の切り欠き２５Ａ，２５Ｂの間には、凸部３３が形成されている。この凸部３３の先端（縁１７側の部位）には、一対の突出部３５Ａ，３５Ｂが設けられている。左側の突出部３５Ａは、凸部３３の先端部（下端部）の左側部位から左側に突出している。右側の突出部３５Ｂは、凸部３３の先端部（下端部）の右側部位から右側に突出している。これにより、凸部３３の中間部（基端部と先端部との間）には、左右方向の寸法が一対の突出部３５Ａ，３５Ｂが設けられている部位の寸法よりも小さいクビレ部３７が形成されている。この逆Ｔ字状部を形成する一対の突出部３５Ａ，３５Ｂおよびクビレ部３７によって、帽体に取り付けるための第１の取付部（前側取付部）が形成されている。
【００４８】
また、図１や図１０等に示すように、一対の切り欠き２５Ａ，２７Ａの間には、凸部３３Ａが形成されている。この凸部３３Ａの先端（縁１７側の部位）には、一対の突出部３５Ｃ，３５Ｄが設けられている。前側の突出部３５Ｃは、凸部３３Ａの先端部（下端部）の前側部位から前側に突出している。後側の突出部３５Ｄは、凸部３３Ａの先端部（下端部）の後側部位から後側に突出している。これにより、凸部３３Ａの中間部（基端部と先端部との間）には、前後方向の寸法が一対の突出部３５Ｃ，３５Ｄが設けられている部位の寸法よりも小さいクビレ部３７Ａが形成されている。この逆Ｔ字状部を形成する一対の突出部３５Ｃ，３５Ｄおよびクビレ部３７Ａによって、帽体に取り付けるための第２の左取付部（左側取付部）が形成されている。
【００４９】
また、図２等に示すように、一対の切り欠き２５Ｂ，２７Ｂの間には、凸部３３Ｂが形成されている。この凸部３３Ｂの先端（縁１７側の部位）には、一対の突出部３５Ｅ，３５Ｆが設けられている。前側の突出部３５Ｅは、凸部３３Ｂの先端部（下端部）の前側部位から前側に突出している。後側の突出部３５Ｆは、凸部３３Ｂの先端部（下端部）の後側部位から後側に突出している。これにより、凸部３３Ｂの中間部（基端部と先端部との間）には、前後方向の寸法が一対の突出部３５Ｅ，３５Ｆが設けられている部位の寸法よりも小さいクビレ部３７Ｂが形成されている。この逆Ｔ字状部を形成する一対の突出部３５Ｅ，３５Ｆおよびクビレ部３７Ｂによって、帽体に取り付けるための第２の右取付部（右側取付部）が形成されている。
【００５０】
また、図１０に示すように、フード部３の開口部４の上端近傍であって、フード部３の内側には、織りゴム等の弾性体で構成された紐３９が設けられている。紐（第１の被取付部；前側被取付部）３９は、長手方向の一端部が、フード部３の開口部４の左側の部位に一体的に設けられており、長手方向の他端部が、フード部３の開口部４の右側の部位に一体的に設けられている。
【００５１】
また、図１０に示すように、フード部３の開口部４の上端左側であって、インナーキャップ５の凸部３３Ａ（クビレ部３７Ａ）に対応するフード部３の内側には、織りゴム等の弾性体で構成された紐（第２の右被取付部；右側被取付部）３９Ａが設けられている。紐３９Ａは、長手方向の一端部が、フード部３の開口部４の後左側の部位（フード部３の左前側の部位）に一体的に設けられており、長手方向の他端部が、フード部３の左後側の部位に一体的に設けられている。
【００５２】
また、フード部３の開口部４の上端右側であって、インナーキャップ５の凸部３３Ｂ（クビレ部３７Ｂ）に対応するフード部３の内側には、織りゴム等の弾性体で構成された紐３９Ｂ（図示が省略されている）が設けられている。紐（第２の右被取付部；右側被取付部）３９Ｂは、長手方向の一端部が、フード部３の開口部４の後右側の部位（フード部３の右前側の部位）に一体的に設けられており、長手方向の他端部が、フード部３の右後側の部位に一体的に設けられている。
【００５３】
そして、インナーキャップ５をフード部３に設置したとき、紐３９が凸部３３のクビレ部３７に引っ掛かるようになっている（凸部３３が、紐３９とフード部３とで構成されている環状部位に入り込むようになっている）。これにより、紐３９とフード部３とで構成されている環状部位に一旦入り込んだクビレ部３７は、一対の突出部３５Ａ，３５Ｂが邪魔になり、環状部位から容易に外れないようになっている。そして、フード部３に設置されたインナーキャップ５は、フード部３から容易に外れないようになっている。
【００５４】
また、インナーキャップ５をフード部３に設置したとき、紐３９Ａが凸部３３Ａのクビレ部３７Ａに引っ掛かるようになっている（凸部３３Ａが、紐３９Ａとフード部３とで構成されている環状部位に入り込むようになっている）。これにより、紐３９Ａとフード部３とで構成されている環状部位に一旦入り込んだクビレ部３７Ａは、一対の突出部３５Ｃ，３５Ｄが邪魔になり、環状部位から容易に外れないようになっている。そして、フード部３に設置されたインナーキャップ５は、フード部３から容易に外れないようになっている。
【００５５】
また、インナーキャップ５をフード部３に設置したとき、紐３９Ｂが凸部３３Ｂのクビレ部３７Ｂに引っ掛かるようになっている（凸部３３Ｂが、紐３９Ｂとフード部３とで構成されている環状部位に入り込むようになっている）。これにより、紐３９Ｂとフード部３とで構成されている環状部位に一旦入り込んだクビレ部３７Ｂは、一対の突出部３５Ｅ，３５Ｆが邪魔になり、環状部位から容易に外れないようになっている。そして、フード部３に設置されたインナーキャップ５は、フード部３から容易に外れないようになっている。
【００５６】
なお、図１０では、紐３９，３９Ａが上下方向に並んで２本設けられているが、紐３９，３９Ａを１本だけ設けた構成であってもよいし、３本以上の複数本設けた構成であってもよい。そして、図示を省略した紐３９Ｂについても、１本だけてあってもよいし、３本以上あってもよい。
【００５７】
インナーキャップ５によれば、インナーキャップ５（防塵フード１）を着用者Ｐが被ったとき、前側梁９の中間部１９が着用者Ｐの頭部の前方部位に当接し、後側梁１１の中間部２１が着用者Ｐの頭部の後方部位に当接して、各梁９，１１で着用者Ｐの頭部を挟み込む形態になる。これにより、インナーキャップ５が、安定した状態で着用者Ｐの頭部に載り、着用者Ｐがインナーキャップ５を違和感なく安定した状態で被ることができる。
【００５８】
そして、着用者Ｐがインナーキャップ５を被ったとき、十分なホールド感を得ることができ、着用者Ｐが動いても、インナーキャップ５が着用者Ｐの頭部に追従し、インナーキャップ５の頭部に対する位置ずれがほとんど発生しなくなる。
【００５９】
また、上述した従来のインナーキャップでは、インナーキャップ（着用者が被っているインナーキャップ）に衝撃力がかかったときに、この衝撃力を十分に吸収することができない場合があるが、この実施形態に係るインナーキャップ５によれば、インナーキャップ５にかかった衝撃力を十分に吸収することができる。
【００６０】
すなわち、インナーキャップ５に斜めの衝撃力（インナーキャップ５の上下方向に対して斜めに傾いている下向きの衝撃力）がかかった場合、従来のインナーキャップであると、各梁が水平方向に延びているだけであるので、インナーキャップが着用者の頭部に対して水平方向ずれてしまい、衝撃力を十分に吸収することができない。これに対して、この実施形態に係るインナーキャップ５では、各梁９，１１が斜めに延びているので、斜めの衝撃力がかかっても、インナーキャップ５が着用者Ｐの頭部に対してずれることがほとんどなく、衝撃力を十分に吸収することができる。
【００６１】
また、インナーキャップ５に下向きの衝撃力（たとえば、鉛直方向の衝撃力）がかかった場合、従来のインナーキャップでは、主に水平方向に延びている梁の撓み（弾性変形）で、衝撃力を吸収するのであるが、この実施形態に係るインナーキャップ５では、前側梁９の撓み（弾性変形）と後側梁１１の撓み（弾性変形）との両方で、衝撃力を吸収するので、衝撃力が前後方向等に分散され、衝撃力を十分に吸収することができる。
【００６２】
さらに、インナーキャップ５によれば、左右各１本の前側梁９Ａ，９Ｂと左右各１本の後側梁１１Ａ，１１Ｂとが設けられており、着用者Ｐがインナーキャップ５を被ったときに各梁９，１１の中間部１９，２１が着用者Ｐの頭部に当接し（着用者Ｐの頭部に４点で当接し）、各当接部で、着用者Ｐの頭部を前後方向および左右方向から挟むので、着用者Ｐがインナーキャップ５を一層安定した状態で被ることができる。
【００６３】
また、インナーキャップ５によれば、インナーキャップ５の左右方向で、前側梁９が中央側に設けられており、後側梁１１が前側梁９の外側に設けられているので、着用者Ｐがインナーキャップ５を違和感なく被ることできる。すなわち、人の頭の幅は、一般的に、前側よりも後側の方が広くなっているので、この人の頭の形態に応じて、各梁９，１１（各梁９，１１と着用者Ｐの頭部との当接部）が設けられていることになり、着用者Ｐがインナーキャップ５を被ったときに違和感がなくなる。
【００６４】
また、インナーキャップ５によれば、各梁９，１１が円弧状になっているので、一層確実に衝撃力を吸収することができる。すなわち、各梁９，１１が円弧状になっていると、インナーキャップ５が衝撃力を受けた場合、各梁９，１１が撓むだけでなく、各梁９，１１が、各梁９，１１の延伸方向の軸まわりに捩れる（弾性変形する）ので、より大きな衝撃力を吸収することができる。
【００６５】
また、このインナーキャップ５によれば、帽体（フード部３）の内側に取り付けるための取付部（突出部３５Ａ〜３５Ｆ、クビレ部３７，３７Ａ，３７Ｂ）を設けたので、帽体（フード部３）に容易に外れないように取り付けることができる。
【００６６】
ところで、前述したように、前側梁９が２本設けられており、後側梁１１も２本設けられており、４本の梁９，１１の中間部１９，２１が、着用者Ｐの頭部に当接するので、インナーキャップ５は、少なくとも４箇所で、着用者Ｐの頭部に当接している。ここで、少なくとも４箇所と記載したのは、着用者Ｐがインナーキャップ５を被った場合、梁９，１１以外の部位（たとえば、椀状の本体部７の縁１７の部位）が着用者Ｐの頭部に当接するからである。
【００６７】
なお、着用者Ｐがインナーキャップ５を被った場合、インナーキャップ５が安定した状態で着用者Ｐの頭部に設置されるのであれば、梁９，１１の本数を適宜変えてもよい。
【００６８】
たとえば、インナーキャップ５の左右方向で、中央部に１本の前側梁を設け、左側に１本の後側梁を設け、右側に１本の後側梁を設けた構成であってもよいし、５本以上の梁を適宜設けた構成であってもよい。
【００６９】
また、取付部を３個所に設けたが、取付部は１個所であっても、２個所であっても、３個所以上であってもよい。
【００７０】
また、上記説明では、インナーキャップ５を、フード部３に設置しているが、インナーキャップ５を、図１１に示すように、キャップ型の帽子（たとえば、野球帽のような帽子）４１の内側に設置してもよいし、その他の形態の帽子に設置してもよい。
【００７１】
なお、上述したインナーキャップ５は、本体部７と、前記本体部７の内側（凹側）で前記本体部７に設けられた複数の梁９，１１とを有し、着用者Ｐが被ったときに、前記各梁９，１１のそれぞれが前記着用者Ｐの頭部の異なる部位に異なる方向から当接して、前記着用者Ｐの頭部に載置されて支持されるとともに、前記本体部７が前記着用者Ｐの頭部を覆うように構成されているインナーキャップの例である。
【００７２】
すなわち、上記インナーキャップにおける各梁のそれぞれは、お互いが異なっている位置で本体部に一体に設けられており、各梁のそれぞれの一端部は本体部の頂上部側に位置しており、各梁のそれぞれの他端部は本体部の縁側に位置している。人がインナーキャップを被った場合、各梁は水平方向や垂直方向に対して斜め方向に延びている。
【００７３】
また、インナーキャップを所定の方向から側面視すると（たとえば、右から左に向かって見ると）、各梁のうちの少なくとも一対の梁が、「ハ」字状、「ヘ」字状、または、下側の２つの線分が長い「Ｘ」字状になっている。そして、各梁が、着用者の頭部を前後方向および左右方向から挟んでいる。
【００７４】
なお、所定の方向から側面視したときに、少なくとも一対の梁の、下側の２つの線分が長い「Ｘ」字状等になっていることに代えてもしくは加えて、正面視したときに（たとえば、前から後に向かって見たときに）、各梁のうちの少なくとも一対の梁が、「ハ」字状、「ヘ」字状、または、下側の２つの線分が長い「Ｘ」字状になっていてもよい。そして、各梁が、着用者の頭部を前後方向や左右方向から挟んでいてもよい。
【００７５】
さらに、インナーキャップを着用者が被ったときにおける、着用者の頭部を押している各梁の押圧力（インナーキャップを着用者が被ったときにおける押圧力）に着目すると、すでに理解されるように、インナーキャップの前側に位置している梁の当接部（頭部の前上方に位置している当接部）における押圧力の水平方向の分力は、前から後に向かっており、インナーキャップの後側に位置している梁の当接部（頭部の後上方に位置している当接部）における押圧力の水平方向の分力は、後から前に向かっており、インナーキャップの右側に位置している梁の当接部（頭部の右上方に位置している当接部）における押圧力の水平方向の分力は、右から左に向かっており、インナーキャップの左側に位置している梁の当接部（頭部の左上方に位置している当接部）における押圧力の水平方向の分力は、左から右に向かっている。さらに、各梁の当接部における押圧力の垂直方向の分力は、上から下に向かっている。
【００７６】
インナーキャップ組立体５１は、図１２〜図１４に示すように、先の実施形態と同じ構成のインナーキャップ（内装体；頭部保護体；プロテクト部）５と、このインナーキャップ５に取り付けられた、着用者の後頭部への締め付け具合を調整するサイズ調整バンド機構６１とを備えた構成とされている。
【００７７】
インナーキャップ５の本体部７には、図１２〜図１４に示すように、第１の左、右側被取付孔（第１の被取付部）５３，５５が左右対称に設けられている。
【００７８】
第１の左側被取付孔５３は、切り欠き２５Ａよりも前側の本体部７の頂上部１３と縁１７との中間に設けられた、上下方向に縦長の第１の左前側被取付孔５３Ａと、切り欠き２７Ａと切り欠き２９Ａとの間で、本体部７の頂上部１３と縁１７との中間に第１の左前側被取付孔５３Ａよりも上側に位置させて設けられた、後上方向に僅かに上昇するように傾斜した横長の第１の左後上側被取付孔５３Ｂと、切り欠き２７Ａと切り欠き２９Ａとの間で、本体部７の頂上部１３と縁１７との中間に第１の左前側被取付孔５３Ａよりも上側で、かつ、第１の左後上側被取付孔５３Ｂよりも下側に位置させて設けられた、前後（水平）方向に横長の第１の左後下側被取付孔５３Ｃとで構成されている。
【００７９】
第１の右側被取付孔５５は、切り欠き２５Ｂよりも前側の本体部７の頂上部１３と縁１７との中間に設けられた、上下方向に縦長の第１の右前側被取付孔５５Ａと、切り欠き２７Ｂと切り欠き２９Ｂとの間で、本体部７の頂上部１３と縁１７との中間に第１の右前側被取付孔５５Ａよりも上側に位置させて設けられた、後上方向に僅かに上昇するように傾斜した横長の第１の右後上側被取付孔５５Ｂと、切り欠き２７Ｂと切り欠き２９Ｂとの間で、本体部７の頂上部１３と縁１７との中間に第１の右前側被取付孔５５Ａよりも上側で、かつ、第１の右後上側被取付孔５５Ｂよりも下側に位置させて設けられた、前後（水平）方向に横長の第１の右後下側被取付孔５５Ｃとで構成されている。
【００８０】
サイズ調整バンド機構６１は、図１５、図１６に示すように、軟質（柔軟）な合成樹脂で構成された係止部材６３と、軟質（柔軟）な合成樹脂で構成された係合部材６５とで構成されている。
【００８１】
係止部材６３は、図１５に示すように、正面視、左右反転させた「へ」字状で、左右方向の中間部から上方向へ枝部６７Ａが設けられた板状の本体部６７と、この本体部６７の前端外側（図１５において右端手前側）に設けられた前側取付部６９と、枝部６７Ａの先端外側（図１５において上端手前側）に設けられた後側取付部７１と、本体部６７の後端側外側（図１５において左端側手前側）に設けられたラチェット歯７３と、本体部６７の後端外側（図１５において左端手前側）に設けられた突起状の抜け止め防止部７５とで構成されている。
【００８２】
前側取付部６９は、本体部７の厚さよりも少し長い（高い）高さを有した断面が四角形状の柱部６９Ａと、この柱部６９Ａの先端に設けられた、左右（前後）方向に延び、柱部６９Ａの上下からはみ出さない長円形状の係合部６９Ｂとで構成されている。
【００８３】
この前側取付部６９は、係合部６９Ｂの方向を第１の右前側被取付孔５５Ａの方向に合わせて第１の右前側被取付孔５５Ａ内へ挿入した後、約９０度回転させると、係合部６９Ｂが第１の右前側被取付孔５５Ａの周縁に係合し、第１の右前側被取付孔５５Ａから抜け出なくなる。
【００８４】
後側取付部７１は、本体部７の厚さよりも少し長い（高い）高さを有した断面が四角形状の柱部７１Ａと、この柱部７１Ａの先端に設けられた、上下方向に延び、柱部７１Ａの左右（前後）からはみ出さない長円形状の係合部７１Ｂとで構成されている。
【００８５】
この後側取付部７１は、係合部７１Ｂの方向を第１の右後上側被取付孔５５Ｂまたは第１の右後下側被取付孔５５Ｃの方向に合わせて第１の右後上側被取付孔５５Ｂまたは第１の右後下側被取付孔５５Ｃ内へ挿入した後、約９０度回転させると、係合部７１Ｂが第１の右後上側被取付孔５５Ｂまたは第１の右後下側被取付孔５５Ｃの周縁に係合し、第１の右後上側被取付孔５５Ｃまたは第１の右後下側被取付孔５５Ｃから抜け出なくなる。
【００８６】
係合部材６５は、図１６に示すように、正面視「へ」字状で、左右方向の中間部から上方向へ枝部７７Ａが設けられた板状の本体部７７と、この本体部７７の前端外側（図１６において左端手前側）に設けられた前側取付部７９と、枝部７７Ａの先端外側（図１６において上端手前側）に設けられた後側取付部８１と、本体部７７の後端側外側（図１６において右端手前側）に設けられた係止歯部８３とで構成されている。
【００８７】
前側取付部７９は、本体部７の厚さよりも少し長い（高い）高さを有した断面が四角形状の柱部７９Ａと、この柱部７９Ａの先端に設けられた、左右（前後）方向に延び、柱部７９Ａの上下からはみ出さない長円形状の係合部７９Ｂとで構成されている。
【００８８】
この前側取付部７９は、係合部７９Ｂの方向を第１の左前側被取付孔５３Ａの方向に合わせて第１の左側被取付孔５３Ａ内へ挿入した後、約９０度回転させると、係合部７９Ｂが第１の左側被取付孔５３Ａの周縁に係合し、第１の左側被取付孔５３Ａから抜け出なくなる。
【００８９】
後側取付部８１は、本体部７の厚さよりも少し長い（高い）高さを有した断面が四角形状の柱部８１Ａと、この柱部８１Ａの先端に設けられた、上下方向に延び、柱部８１Ａの左右（前後）からはみ出さない長円形状の係合部８１Ｂとで構成されている。
【００９０】
この後側取付部８１は、係合部８１Ｂの方向を第１の左後上側被取付孔５３Ｂまたは第１の左後下側被取付孔５３Ｃの方向に沿わせて第１の左後上側被取付孔５３Ｂまたは第１の左後下側被取付孔５３Ｃ内へ挿入した後、約９０度回転させると、係合部８１Ｂが第１の左後上側被取付孔５３Ｂまたは第１の左後下側被取付孔５３Ｃの周縁に係合し、第１の左後上側被取付孔５３Ｂまたは第１の左後下側被取付孔５３Ｃから抜け出なくなる。
【００９１】
係止歯部８３は、係止部材６３のラチェット歯７３が設けられている部分が挿通可能で、変形可能な筒状とされ、ラチェット歯７３と対向する面に係止歯８３Ａが設けられている。
【００９２】
上記した係止部材６３および係合部材６５をインナーキャップ５の内側に取り付けると、図１２〜図１４に示すように、係止部材６３および係合部材６５はインナーキャップ５に取り付けられる。
【００９３】
この状態で、係止歯部８３を変形させて係止歯部８３内へ係止部材６３のラチェット歯７３部分を挿通し、係止歯８３Ａとラチェット歯７３との係合位置を調整し、後頭部への締め付け具合を調整（サイズ調整）することにより、インナーキャップ５を頭部からずれ落ちないように着用することができる。
【００９４】
また、インナーキャップ５（本体部７）の左右の前側に１つの第１の被取付部（第１の左前側被取付孔５３Ａ、第１の右前側被取付孔５５Ａ）を設け、インナーキャップ５（本体部７）の左右の後側に２つの第１の被取付部（第１の左後上側被取付孔５３Ｂ、第１の左後下側被取付孔５３Ｃ、第１の右後上側被取付孔５５Ｂ、第１の右後下側被取付孔５５Ｃ）を設けたので、サイズ調整バンド機構６１の後端部を着用者の後頭部の形状に合わせて上下に移動させ、調整することができる。
【００９５】
また、柱部６９Ａ，７１Ａ，７９Ａ，８１Ａが対応する各被取付孔５３Ａ〜５３Ｃ、５５Ａ〜５５Ｃ内で移動できるので、着用時のフィット感を向上させることができる。
【００９６】
この実施形態のインナーキャップ組立体５１においても、図１〜図１１に示したインナーキャップ５と同様な効果を得ることができる。
【００９７】
上記説明では、インナーキャップ５の左右の前側に１つの第１の被取付部を設け、インナーキャップ５の左右の後側に２つの第１の被取付部を設けたが、インナーキャップ５の左右の前側に２つの第１の被取付部を設け、インナーキャップ５の左右の後側に１つの第１の被取付部を設ける構成であってもよいし、インナーキャップ５の左右の前側に複数の第１の被取付部を設け、インナーキャップ５の左右の後側に複数の第１の被取付部を設ける構成であってもよい。
【００９８】
インナーキャップ組立体５１Ａは、図１７に示すように、図１２〜図１６に示した実施形態の構成に加えて、インナーキャップ５を頭部から外れないように装着するための顎紐調整機構９１を備えた構成とされている。
【００９９】
インナーキャップ５の本体部７には、図１７に一部分しか示されていないが、図１２〜図１４に示すように、第２の左、右側被取付孔（第２の被取付部）５７，５９が左右対称に設けられている。
【０１００】
第２の左側被取付孔５７は、切り欠き２５Ａと切り欠き２７Ａとの間の切り欠き２５Ａ側で、本体部７の縁１７から僅かに上側に設けられた、左右（前後）方向に横長の第２の左前側被取付孔５７Ａと、切り欠き２９Ａの後側で、本体部７の縁１７から僅かに上側に設けられた、左右（前後）方向に横長の第２の左後側被取付孔５７Ｂとで構成されている。
【０１０１】
第２の右側被取付孔５９は、切り欠き２５Ｂと切り欠き２７Ｂとの間の切り欠き２５Ｂ側で、本体部７の縁１７から僅かに上側に設けられた、左右（前後）方向に横長の第２の右前側被取付孔５９Ａと、切り欠き２９Ｂの後側で、本体部７の縁１７から僅かに上側に設けられた、左右（前後）方向に横長の第２の右後側被取付孔５９Ｂとで構成されている。
【０１０２】
顎紐調整機構９１は、図１７に一部分しか示されていないが、耳掛け紐９３と、締め付け調整紐９５とで構成とされている。
【０１０３】
耳掛け紐９３は、一端が第２の左前側被取付孔５７Ａに着脱可能に取り付けられ、他端端が第２の左後側被取付孔５７Ｂに着脱可能に取り付けられる帯状の左側耳掛け紐（図示が省略されている）と、一端が第２の右前側被取付孔５９Ａに着脱可能に取り付けられ、他端端が第２の右後側被取付孔５９Ｂに着脱可能に取り付けられる帯状の右側耳掛け紐９３Ｂとで構成されている。
【０１０４】
締め付け調整紐９５は、左側耳掛け紐に着脱可能に取り付けられ、係止部（図示が省略されている）を備えた帯状の左側締め付け調整紐（図示が省略されている）と、右側耳掛け紐９３Ｂに一端側が着脱可能に取り付けられ、他端側に固定位置を移動可能な係合部９７Ｂを備えた帯状の右側締め付け調整紐９５Ｂとで構成されている。
【０１０５】
上記した顎紐調整機構９１をインナーキャップ５に取り付けると、図１７に示すように、顎紐調整機構９１はインナーキャップ５に取り付けられる。
【０１０６】
そして、図１７に示すように、インナーキャップ５を着用した状態で、係合部９７Ｂを係止部に係合させ、締め付け調整紐９５の長さを調整することにより、インナーキャップ５を頭部から外れないように装着することができる。
【０１０７】
この実施形態のインナーキャップ組立体５１Ａにおいても、図１〜図１１に示した実施形態のインナーキャップ５、図１２〜図１６に示した実施形態のインナーキャップ組立体５１と同様な効果を得ることができる。
【０１０８】
上記説明では、インナーキャップ５に取付部を設けたり、インナーキャップ５にサイズ調整バンド機構６１を取り付けてインナーキャップ組立体５１としたり、インナーキャップ５に顎紐調整機構９１を取り付けてインナーキャップ組立体５１Ａとしたが、インナーキャップ５に取付部を設けるとともに、インナーキャップ５にサイズ調整バンド機構６１を取り付けてインナーキャップ組立体としたり、インナーキャップ５に取付部を設けるとともに、インナーキャップ５に顎紐調整機構９１を取り付けてインナーキャップ組立体としたり、インナーキャップ５に取付部を設けるとともに、インナーキャップ５にサイズ調整バンド機構６１および顎紐調整機構９１を取り付けてインナーキャップ組立体としたり、インナーキャップ５にサイズ調整バンド機構６１および顎紐調整機構９１を取り付けてインナーキャップ組立体としてもよい。
【符号の説明】
【０１０９】
１      防塵フード
３      フード部
４      開口部
５      インナーキャップ
７      本体部
９      前側梁
９Ａ    前左側梁
９Ｂ    前右側梁
１１    後側梁
１１Ａ  後左側梁
１１Ｂ  後右側梁
１３    頂上部
１５    開口部
１７    縁
１９    一方の面の一部
２１    一方の面の一部
２３    貫通孔
２５    切り欠き
２５Ａ  切り欠き
２５Ｂ  切り欠き
２７    切り欠き
２７Ａ  切り欠き
２７Ｂ  切り欠き
２９    切り欠き
２９Ａ  切り欠き
２９Ｂ  切り欠き
３１    切り欠き
３３    凸部
３３Ａ  凸部
３３Ｂ  凸部
３５Ａ  突出部
３５Ｂ  突出部
３５Ｃ  突出部
３５Ｄ  突出部
３５Ｅ  突出部
３５Ｆ  突出部
３７    クビレ部
３７Ａ  クビレ部
３７Ｂ  クビレ部
３９    紐
３９Ａ  紐
４１    帽子
５１    インナーキャップ組立体
５１Ａ  インナーキャップ組立体
５３    第１の左側被取付孔
５３Ａ  第１の左前側被取付孔
５３Ｂ  第１の左後上側被取付孔
５３Ｃ  第１の左後下側被取付孔
５５    第１の右側被取付孔
５５Ａ  第１の右前側被取付孔
５５Ｂ  第１の右後上側被取付孔
５５Ｃ  第１の右後下側被取付孔
５７    第２の左側被取付孔
５７Ａ  第２の左前側被取付孔
５７Ｂ  第２の左後側被取付孔
５９    第２の右側被取付孔
５９Ａ  第２の右前側被取付孔
５９Ｂ  第２の右後側被取付孔
６１    サイズ調整バンド機構
６３    係止部材
６５    係合部材
６７    本体部
６７Ａ  枝部
６９    前側取付部
６９Ａ  柱部
６９Ｂ  係合部
７１    後側取付部
７１Ａ  柱部
７１Ｂ  係合部
７３    ラチェット歯
７５    抜け止め防止部
７７    本体部
７７Ａ  枝部
７９    前側取付部
７９Ａ  柱部
７９Ｂ  係合部
８１    後側取付部
８１Ａ  柱部
８１Ｂ  係合部
８３    係止歯部
８３Ａ  係止歯
９１    顎紐調整機構
９３    耳掛け紐
９３Ｂ  右側耳掛け紐
９５    締め付け調整紐
９５Ｂ  右側締め付け調整紐
９７Ｂ  係合部
Ｐ      着用者
【図１】
0005753673.tif 000002
【図２】
0005753673.tif 000003
【図３】
0005753673.tif 000004
【図４】
0005753673.tif 000005
【図５】
0005753673.tif 000006
【図６】
0005753673.tif 000007
【図７】
0005753673.tif 000008
【図８】
0005753673.tif 000009
【図９】
0005753673.tif 000010
【図１０】
0005753673.tif 000011
【図１１】
0005753673.tif 000012
【図１２】
0005753673.tif 000013
【図１３】
0005753673.tif 000014
【図１４】
0005753673.tif 000015
【図１５】
0005753673.tif 000016
【図１６】
0005753673.tif 000017
【図１７】
0005753673.tif 000018